(57)【要約】【課題】旅行、出張、短期滞在、入院時など、目的地に移動する途中において、公衆の面前でバッグを大きく開くことなく、起立姿勢のままで収納物、特に小物を安心して取り出すことのできるキャリーバッグを提供する。【解決手段】バッグ本体１１にハンドル部１２と走行キャスター１３を備えたキャリーバッグ１０において、バッグ本体１１の前面上部に、主荷室１４に相当する高さの前面下部１８を残して前面開口部１９を設けると共に、同前面開口部１９を開閉する外蓋部２１を取り付ける。主荷室１４の上側の副荷室１５の奥面に複数の収納ポケット２６〜２８を設ける。【選択図】図２
0003173176.tif 000002
【実用新案登録請求の範囲】
【請求項１】
バッグ本体にハンドル部と走行キャスターを備えたキャリーバッグにおいて、バッグ本体の前面上部に、主荷室に相当する高さの前面下部を残して前面開口部が設けられると共に、同前面開口部を開閉する外蓋部が取り付けられていることを特徴とするキャリーバッグ。
【請求項２】
前記外蓋部がバッグ本体の前面開口部の下縁部にヒンジ部を介して取り付けられ、ヒンジ部回りに外蓋部を起立させてロック部材によりバッグ本体の上面に係止し、ロック部材の解除によりヒンジ部回りに外蓋部を前方に倒してバッグ本体の前面開口部を開くように構成されていることを特徴とする請求項１記載のキャリーバッグ。
【請求項３】
主荷室の上面開口部に開閉可能なカバーが設けられ、同カバーにより主荷室と上側の副荷室が区画されていることを特徴とする請求項１または請求項２記載のキャリーバッグ。
【請求項４】
副荷室の奥面に複数の収納ポケットが設けられていることを特徴とする請求項１ないし請求項３のいずれか一項に記載のキャリーバッグ。
【請求項５】
バッグ本体の底面に、移動時に奥方に折り畳み可能で停止時に地面または床面に接地可能なストッパーが設けられていることを特徴とする請求項１ないし請求項４のいずれか一項に記載のキャリーバッグ。
【考案の詳細な説明】
【技術分野】
【０００１】
本考案は、収納物の取り出し性を向上させたキャリーバッグに関するものである。
【背景技術】
【０００２】
旅行や出張に出掛けたり、短期滞在等する場合、持参する物が少なくないので（例えば、着替え・洗面用具・化粧品・薬類・筆記具・カメラ・保険証・雨具・セーター等の普段着・雑誌等）、これらの物をまとめてキャリーバッグに収納し、移動するようにしている場合が多い。一般的なキャリーバッグは、バッグ本体にハンドルと走行キャスターが付属し、ハンドルを手で持ち、歩道または床面上を走行キャスターで移動させるようにしている。かかるキャリーバッグとしては、特開２００６−２１８１４５号公報や、特開２００４−７３５３４号公報、実用新案登録第３１６７４７号公報、実用新案登録第３０９１１６０号公報等に開示されたものが知られている。
【先行技術文献】
【特許文献】
【０００３】
【特許文献１】特開２００６−２１８１４５号公報
【特許文献２】特開２００４−７３５３４号公報
【特許文献３】実用新案登録第３１６７４７号公報
【特許文献４】実用新案登録第３０９１１６０号公報
【考案の概要】
【考案が解決しようとする課題】
【０００４】
しかしながら、いずれのキャリーバッグも、移動中に次のような問題がある。すなわち、財布や電車の切符、飛行機のチケット等をバッグの収納室あるいは同室の奥の収納ポケット内に収めていた場合、駅の構内や飛行機の出発ロビーなど、多くの人が行き交う公衆の面前でバッグのフロント部分を大きく開けた状態で（多くの場合、中の荷物が崩れないようにバッグを横に寝かせた状態で開ける）、中に収めた財布や切符、チケット等を取り出す必要がある。この場合、行き交う他人にバッグの中身を見られたり、覗かれる心配があり、恥ずかしい思いをする場合が少なくない。
【０００５】
本考案は、上記課題に鑑みてなされたもので、旅行、出張、短期滞在、入院時など、目的地に移動する途中において、公衆の面前でバッグを大きく開くことなく、起立姿勢のままで収納物、特に小物を安心して取り出すことのできるキャリーバッグを提供することを目的としている。
【課題を解決するための手段】
【０００６】
上記課題を解決するために、本考案に係るキャリーバッグは、バッグ本体にハンドル部と走行キャスターを備えたキャリーバッグにおいて、バッグ本体の前面上部に、主荷室に相当する高さの前面下部を残して前面開口部が設けられると共に、同前面開口部を開閉する外蓋部が取り付けられていることを主要な特徴とする。
【０００７】
本考案に係るキャリーバッグは、前記外蓋部がバッグ本体の前面開口部の下縁部にヒンジ部を介して取り付けられ、ヒンジ部回りに外蓋部を起立させてロック部材によりバッグ本体の上面に係止し、ロック部材の解除によりヒンジ部回りに外蓋部を前方に倒してバッグ本体の前面開口部を開くように構成されていることを第２の特徴とする。
【０００８】
本考案に係るキャリーバッグは、主荷室の上面開口部に開閉可能なカバーが設けられ、同カバーにより主荷室と上側の副荷室が区画されていることを第３の特徴とする。
【０００９】
本考案に係るキャリーバッグは、副荷室の奥面に複数の収納ポケットが設けられていることを第４の特徴とする。
【００１０】
本考案に係るキャリーバッグは、バッグ本体の底面に、移動時に奥方に折り畳み可能で停止時に地面または床面に接地可能なストッパーが設けられていることを第５の特徴とする。
【考案の効果】
【００１１】
以上説明したように、本考案に係るキャリーバッグによると、目的地に移動する途中において、公衆の面前でバッグを大きく開くことなく、また、横に寝かせることなく起立姿勢のままで、中の収納物、特に小物を安心して取り出すことができるという優れた効果を奏する。
【図面の簡単な説明】
【００１２】
【図１】本考案のキャリーケースの外蓋部を閉じた状態を示す斜視図、
【図２】図１に示すキャリーケースの外蓋部を開いた状態を示す斜視図、
【図３】図１に示すキャリーケースのストッパーの使用例を示す要部側面図である。
【考案を実施するための最良の形態】
【００１３】
以下、本考案の実施の形態を、図面を参照して説明する。
図１ないし図３は本考案の一実施形態を示すもので、図１において、符号１０は本考案に係るキャリーバッグを示している。
【００１４】
図１に示すように、キャリーバッグ１０は、剛性のあるバッグ本体１１の背面に上下に伸縮可能なハンドル部１２と、底面の四隅に走行キャスター１３を備えた構造とされている。
【００１５】
バッグ本体１１は、箱形形状をしており、外面がポリエステルまたはナイロン等の繊維素材からなると共に骨格が図示しないフレーム部材により補強された構造とされている。バッグ本体１１の内部には主荷室１４とその上側に副荷室１５が設けられている。主荷室１４の上面開口部にはファスナー１６により開閉可能な布カバー１７が取り付けられている。
【００１６】
バッグ本体１１の前面上部には、主荷室１４の高さＨに相当する高さの前面下部１８を残して、前方に開口する前面開口部１９が設けられ、同前面開口部１９の周囲には下縁部を除き突部２０が突設されている。かかる前面開口部１９の下縁部に、剛性のある外蓋部２１が取り付けられている。
【００１７】
外蓋部２１は、外面がポリエステルまたはナイロン等の繊維素材からなると共に骨格が図示しないフレーム部材により補強された形状をしており、ヒンジ部２２を介してバッグ本体１１の前面開口部１９の下縁部に起立可能（図１参照）および前方に倒伏可能（図２参照）に取り付けられている。
【００１８】
より具体的には、ヒンジ部２２回りに外蓋部２１を起立させると、図１に示すように、前面開口部１９の周囲の突部２０の外側に外蓋部２１が被さるようにして前面開口部１９を閉じ、後述するロック部材２５により外蓋部２１の閉止状態をロックすることができる。また、同ロック部材２５を解除して、図２に示すように、ヒンジ部２２回りに外蓋部２１を前方に倒し、前面開口部１９を開くことができる。
【００１９】
なお、外蓋部２１の高さは、副荷室１５の高さに応じた高さに設定され、図示例では、バッグ本体１１の高さの２／３程度の高さとされているが、主荷室１４の容積をより大きく、副荷室１５の容積をより小さくする場合、これに合わせて外蓋部２１の高さを例えばバッグ本体１１の高さの１／４〜１／２程度に短くすることもできる。
【００２０】
バッグ本体１１の上面には、中央部に手提げ部２３が取り付けられ、その両脇に一対のロック機構２４，２４が取り付けられている。各ロック機構２４は、外蓋部２１の自由端に設けられた左右の各ロック部材２５を係止する係止口２４Ａと、ロック部材２５の係止状態を解除する解除釦２４Ｂと、係止状態の固定と固定の解除を行うダイヤル式の鍵部２４Ｃから構成されている。
【００２１】
図２に示すように、バッグ本体１１の副荷室１５の奥面１５ａには、複数の大中小の収納ポケット２６，２７，２８が取り付けられている。上側の大型の収納ポケット２６は、上部の開口部が伸縮可能なゴム部材により閉じられ、下側の中型の収納ポケット２７は上部の開口部がファスナー２９により開閉可能に閉じられ、下側の小型の収納ポケット２８は網状の素材からなる。大型の収納ポケット２６には、雑誌等を収納するのに好適であり、中型の収納ポケット２７にはハンカチやティッシュ、財布、切符、チケットなどを収納するのに好適である。小型の収納ポケット２６には鍵等を収納するのに好適である。
【００２２】
バッグ本体１１の両側面には、網状の収納ポケット３０が取り付けられている。また、外蓋部２１の外面にはファスナー３１により開閉可能な大型の外ポケット３２が設けられ、外蓋部２１の内面には同じくファスナー３３により開閉可能な内ポケット３４が設けられている。
【００２３】
バッグ本体１１の底面には走行キャスター１３，１３の間にストッパー３５が設けられている。このストッパー３５は、移動時に折り畳み可能で停止時に地面または床面に接地可能とされ、図３に示すように、バッグ本体１１の底面に固定される吊下部３５ａと、吊下部３５ａからヒンジ部３５ｂを介して奥方に水平姿勢に屈曲可能とされた接地部３５ｃとから構成され、奥方への屈曲姿勢の接地部３５ｃを垂直姿勢に引き出して床面Ｆ上に接地させることにより、バッグ本体１１の移動を阻止できるようになっている。
【００２４】
次に、以上のように構成されたキャリーバッグ１０の使用方法の一例について以下に説明する。
【００２５】
持参する手荷物や小物をキャリーバッグ１０に収納する場合、起立姿勢のまま収納できる。まず、外蓋部２１を前方に倒して、バッグ本体１１の前面開口部１９を開け、布カバー１７を開いて、比較的嵩張るもの、使用頻度が低いもの、例えば、下着等の着替え・洗面用具・雨具・セーター等の普段着等を、主荷室１４内に収納する。布カバー１７を閉じ、次いで副荷室１５の大型の収納ポケット２６に雑誌等を、中型のファスナー２９付きの収納ポケット２７に薬類や、財布・切符・チケット・保険証等の貴重品を、小型の収納ポケット２８に鍵等をそれぞれ収納する。なお、これらの収納物のうち一部を外蓋部２１のファスナー３１付きの外ポケット３２やファスナー３３付きの内ポケット３４に適宜収納してよいことは言うまでもない。
【００２６】
次に、持参する手荷物や小物類をすべて収納し終わったら、前方に倒した状態の外蓋部２１をヒンジ部２２回りに起立させ、外蓋部２１側の左右のロック部材２５をバッグ本体１１側のロック機構２４に係止させる。必要に応じて鍵部２４Ｃのダイヤル部を回して鍵をかける。
【００２７】
目的地まで移動する途中、例えば駅構内や飛行場の出発ロビーにおいて、バッグ本体１１内から切符や航空チケットを取り出す場合、バッグ本体１１を横に寝かせることなく、起立姿勢のまま、ロック機構２４の解除釦２４Ｂを押して外蓋部２１側のロック部材２５を解除し、バッグ本体１１の前面上部の外蓋部２１を前方に倒す。
【００２８】
これにより、バッグ本体１１の前面（フロント部分）を大きく開けることなく、副荷室１５の奥面の収納ポケット２７に収納した切符や航空チケットを取り出すことができる。主荷室１４に収容した中身が通行する他人に見られたり覗かれたりする心配がなくなる。また、重いキャリーバッグ１０をいちいち横にしたり再び起こしたりする必要がないので、特に体力に劣るお年寄りや女性・子供にとって、負担が大いに軽減される。さらに、中の荷物が荷崩れを起こすこともない。切符や航空チケットを取り出した後は、起立姿勢のまま、外蓋部２１を起立させて外蓋部２１側のロック部材２５をロック機構２４によりバッグ本体１１側にロックさせればよい。
【００２９】
鉄道を移動中、車両がカーブを通過したり、増減速した場合、重いキャリーバッグ１０が床面上を不意に移動する場合がある。かかる場合、図３に示すように、予め奥方に折り畳み姿勢となっているストッパー３５の接地部３５ｃを手前下方に引き出して床面Ｆ上に接地させるようにすればよい。車両がカーブを通過したり、増減速する際にキャリーバッグ１０が床面Ｆ上を不意に移動する心配がなくなる。
【００３０】
本実施形態のキャリーバッグ１０によれば、次のような効果を奏する。
（１）バッグ本体１１の前面上部に外蓋部２１を設け、バッグ本体１１の起立姿勢のまま、外蓋部２１を前方に倒して、副荷室１５の各収納ポケット２６〜２８に収納した小物を、主荷室１４に収納した荷物を通行人に見られたり覗かれることなく、安心して取り出すことができる。
（２）重いキャリーバッグ１０を横に寝かせ再び起こす必要がないので、特に体力に劣るお年寄りや女性・子供にとって、負担が大いに軽減される。
（３）ストッパー３５を用いることにより、鉄道を移動中、あるいは傾斜する歩道や床面上に停止中のキャリーバッグ１０が不意に動いてしまう心配がなくなる。
【００３１】
かくして、本考案のキャリーバッグによれば、旅行、出張、短期滞在、入院時など、目的地に移動する途中において、公衆の面前でバッグを大きく開くことなく、収納物を安心して取り出すことができ、利便性に優れ、特にお年寄りや女性向けに好適なキャリーバッグを実現することができた。
【００３２】
なお、上記実施形態では、バッグ本体の主材質に、いわゆるソフトキャリータイプに用いられるナイロン、ポリエステル等の繊維素材を用いたが、ハードタイプに用いられるポリカーボネートやアルミニウム、マグネシウム合金等の素材であってもよい。さらに、ロック部材およびロック機構の代わりにファスナー等を用いてもよい。
【産業上の利用可能性】
【００３３】
本考案に係るキャリーバッグは、旅行、出張、短期滞在、入院時など、目的地に移動する途中において、公衆の面前でバッグを大きく開くことなく、起立姿勢のままで収納物、特に小物を安心して取り出すことのできるキャリーバッグとして、幅広く利用可能である。
【符号の説明】
【００３４】
１０  キャリーバッグ
１１  バッグ本体
１２  ハンドル部
１３  走行キャスター
１４  主荷室
１５  副荷室
１５ａ  奥面
１６，２９，３１，３３  ファスナー
１７  布カバー
１８  前面下部
１９  前面開口部
２０  突部
２１  外蓋部
２２，３５ｂ  ヒンジ部
２３  手提げ部
２４  ロック機構
２４Ａ  係止口
２４Ｂ  解除釦
２４Ｃ  鍵部
２５  ロック部材
２６，２７，２８，３０  収納ポケット
３２  外ポケット
３４  内ポケット
３５  ストッパー
３５ａ  吊下部
３５ｃ  接地部
【図１】
0003173176.tif 000003
【図２】
0003173176.tif 000004
【図３】
0003173176.tif 000005